(57)【要約】【課題】  接続端子とコネクタハウジングとを組合わせて電気コネクタを小型化する。【解決手段】コネクタハウジング１１の後面には、多数個の端子収容孔１４の端子入口部１５が形成されている。端子入口部１５は断面楕円形状を有し、その楕円の方向は一定の方向を向くように揃えて配列されている。  この端子入口部１４に、接続部を幅狭とした接続端子の接続部の縦長部を縦長の端子入口部１５に揃えて挿入し、端子収容孔内に設けた弾発性を有するケースランスと接続部に係止して接続端子を固定する。【選択図】図２
2007200639.tif 000002
【特許請求の範囲】
【請求項１】
接続端子に設けた断面角筒形の係止部の後端にコネクタハウジングの端子収容孔内から突出したケースランスを係止して、前記接続端子を前記コネクタハウジング内に固定する電気コネクタにおいて、前記接続端子の係止部の断面を縦長形状とすると共に後方部に圧着した電線に挿着した防水シール材の防水機能部の外側を断面楕円形状とし、前記端子収容孔の端子入口部を断面楕円形状とし、前記縦長形状の係止部及び前記防水シール材の楕円長軸を前記端子入口部の縦長部に揃えて挿入することを特徴とする電気コネクタ。
【請求項２】
前記端子入口部は前記コネクタハウジングの後面に複数個配置し、隣接する前記端子入口部は縦長部方向を揃えて配列したことを特徴とする請求項１に記載の電気コネクタ。
【請求項３】
前記コネクタハウジングの前記後面を複数の区画に区分し、該区画毎に前記端子入口部の大きさが異なるようにし、挿入する前記接続端子の大きさが異なるようにしたことを特徴とする請求項２に記載の電気コネクタ。
【請求項４】
前記コネクタハウジングの前記後面を複数の区画に区分し、該区画毎に前記端子入口部の縦長部の方向が異なるように、前記端子入口部を配列したことを特徴とする請求項２に記載の電気コネクタ。
【請求項５】
前記シール部材の内孔は断面円形として、防水機能を有する蛇腹部の外形を断面楕円形状としたことを特徴とする請求項１に記載の電気コネクタ。
【発明の詳細な説明】
【技術分野】
【０００１】
本発明は、例えば自動車用ハーネスに使用され、超小型に製作し得る電気コネクタに関するものである。
【背景技術】
【０００２】
近年の電子機器の高性能化に伴い、自動車のハーネス回路を始め、各種電子機器における配線本数は増加を続けている。この増加に伴い電線は細径化され、電線を接続する接続端子も小型化し、電気コネクタの集積化が望まれている。
【発明の開示】
【発明が解決しようとする課題】
【０００３】
しかし、コネクタハウジングに多数本の小型化した接続端子を収納する場合には大きな難点があり、それはコネクタハウジングによる接続端子の保持の確保である。
【０００４】
通常の防水型の雌型接続端子は図８に示すように、接続端子１の前部に接続部２を設け、後部に圧着部３を設け、圧着部３ａによって電線４の芯線５を接続し、更に電線４の被覆に合成ゴム製の円筒形防水シール材６を挿着し、圧着部３ｂによって接続している。この防水シール材６はコネクタハウジングの端子収容孔の端子入口部の内壁に密着し、外部からの水がコネクタハウジング内に浸入することを防止している。
【０００５】
この接続端子１をコネクタハウジングに固定するためには、端子収容孔の内部から弾発性を有するケースランスを突出し、接続部２の後縁に係止する必要がある。しかし、接続端子１の保持の確保を考えると、この部分の小型化には限界がある。
【０００６】
本発明の目的は、上述の問題点を解消し、接続端子とコネクタハウジングとを組合わせて小型化した電気コネクタを提供することにある。
【課題を解決するための手段】
【０００７】
上記目的を達成するための本発明に係る電気コネクタの技術的特徴は、接続端子に設けた断面角筒形の係止部の後端にコネクタハウジングの端子収容孔内から突出したケースランスを係止して、前記接続端子を前記コネクタハウジング内に固定する電気コネクタにおいて、前記接続端子の係止部の断面を縦長形状とすると共に後方部に圧着した電線に挿着した防水シール材の防水機能部の外側を断面楕円形状とし、前記端子収容孔の端子入口部を断面楕円形状とし、前記縦長形状の係止部及び前記防水シール材の楕円長軸を前記端子入口部の縦長部に揃えて挿入することを特徴とすることにある。
【発明の効果】
【０００８】
本発明に係る電気コネクタによれば、縦長に形成した接続端子の係止部及び楕円形状に形成した防水シール材とを、断面を楕円形状とした端子入口の縦長部に揃えて挿入することにより、接続端子間の間隙を小さく高密度に配列でき、小型化を達成し得る。
【発明を実施するための最良の形態】
【０００９】
本発明を図１〜図７の図示の実施例に基づいて詳細に説明する。
【００１０】
図１はコネクタハウジングの正面図、図２は背面図、図３は側面図である。コネクタハウジング１１の前面には、相手側のコネクタハウジングと嵌合する嵌合部１２が設けられ、コネクタハウジング１１に相手側挿込端子を受け入れるための例えば４６個の角型の挿入孔１３が設けられている。また、コネクタハウジング１１の後面には、接続端子を収容する端子収容孔１４の端子入口部１５が形成されている。
【００１１】
後面の端子入口部１５は断面楕円形状を有し、その楕円の方向は一定の方向を向くように揃えて配列されている。また、端子入口部１５の大きさについて云えば、或る区画においては超小型の接続端子に適合する大きさの例えば４０個の端子入口部１５が設けられ、他の区画においては電流容量を大きくした比較的大きな接続端子を挿入するに適合した大きさの例えば６個の端子入口部１５が設けられている。また、区画毎に縦長部の向きを変えて揃えるようにしてもよい。
【００１２】
なお、このコネクタハウジング１１は収容する接続端子の個数が多いため、相手側のコネクタハウジングとの嵌合抵抗を考慮して、コネクタハウジング１１の側部にはレバー１６が設けられ、相手側のコネクタハウジングに設けたピンをレバー１６のカム孔に係止し、このレバー１６のてこ作用を利用して嵌合するようになっている。
【００１３】
また、図４はコネクタハウジング１１を端子収容孔１４の端子入口部１５の縦長部に沿って切断した断面図である。端子収容孔１４の内部には、弾発性を有するケースランス１７が突出され、挿入された接続端子が後方に抜け出さないように係止する役割を果たしている。
【００１４】
一方、図５はコネクタハウジング１１の端子収容孔１４内に収容する雌型接続端子２１の斜視図を示している。接続端子２１の前方部には、相手側接続端子と接続するための接続部２２が設けられ、後方部には圧着部２３ａ、２３ｂにより電線２４が固定されている。
【００１５】
この接続端子２１を図８に示す従来例と比較すれば、小型化のために接続部２２は幅狭で縦長とされており、高さについてはケースランス１７を接続部２２の後縁に堅固に係止し得るに足る大きさとされている。
【００１６】
そして、電線２４には合成ゴム製の筒状防水シール材２５が挿着され、防水シール材２５の前端は接続端子２１の圧着部２３ｂにより固定されている。防水シール材２５は図６に示すように防水機能を持たせる蛇腹部２５ａが内外両面に形成されている。防水シール材２５の内孔は蛇腹部２５ａの内壁も含めて断面円形とされているが、外側の蛇腹部２５ａは断面が楕円形状とされている。また、圧着部２３ｂによりかしめられる円筒部２５ｂの外形は円形とされている。
【００１７】
防水シール材２５の蛇腹部２５ａの楕円の長軸は接続部２２の縦長部と揃えて接続端子２１に固定され、接続端子２１に固着した状態においても、蛇腹部２５ａの楕円形状は保持されている。
【００１８】
接続端子２１をコネクタハウジング１１に挿入する際には、接続端子２１の縦長の接続部２２を、端子収容孔１４の端子入口部１５の縦長部と揃えて挿入する。この挿入の過程で、図７の上段に示すように接続部２２は弾発性を有するケースランス１７を押し上げ、接続部２２がケースランス１７を潜り抜け端子収容孔１４の所定位置に達すると、ケースランス１７は接続部２２から外れて下方に復元する。
【００１９】
これにより図７の下段に示すように、ケースランス１７は接続部２２の後縁に係止し、接続端子２１の後抜けが防止される。同時に、楕円形状の防水シール材２５は断面楕円形状の端子入口部１５の内壁に、長軸同士を揃えて密着し、外部からの水の浸入を阻止する防水構造とされる。
【００２０】
なお上述の実施例では、接続端子２１を雌型接続端子として説明したが、雄型接続端子の場合においても、平刃状の挿込部の後方に設ける断面角筒形の係止部を楕円状の縦長形状とすることにより、コネクタハウジング１１の端子入口部１５と組合わせて、同様に収容する接続端子の高密度化を達成できる。
【図面の簡単な説明】
【００２１】
【図１】実施例のコネクタハウジングの正面図である。
【図２】背面図である。
【図３】側面図である。
【図４】コネクタハウジングの要部断面図である。
【図５】接続端子の斜視図である。
【図６】防水シール材の斜視図である。
【図７】接続端子を収容したコネクタハウジングの要部断面図である。
【図８】従来の接続端子の斜視図である。
【符号の説明】
【００２２】
１１  コネクタハウジング
１４  端子収容孔
１５  端子入口部
１７  ケースランス
２１  接続端子
２２  接続部
２３ａ、２３ｂ  圧着部
２４  電線
２５  防水シール材
２５ａ  蛇腹部
【図１】
2007200639.tif 000003
【図２】
2007200639.tif 000004
【図３】
2007200639.tif 000005
【図４】
2007200639.tif 000006
【図５】
2007200639.tif 000007
【図６】
2007200639.tif 000008
【図７】
2007200639.tif 000009
【図８】
2007200639.tif 000010